(57)【要約】      （修正有）【課題】対象設備の状態を監視・診断するために、プラントの広範囲において使用方法が簡便で高性能な信号計測・記録・状態診断装置システムを提供する。【解決手段】診断装置システムは、ポータブル部と計算機部を有する。ポータブル部は小型マイコンで構築され、迅速に処理できる信号計測・記録・転送だけの機能を持ち、計算機部は計算能力が高くメモリ容量が大きい計算機で構築され、処理アルゴリズムが複雑で、比較的長い処理時間を必要とする外部測定機器連携機能、状態診断機能、設備・点検管理機能を持つ。また、ポータブル部は主に対象物の信号計測、信号記録、計算機へのデータ転送の役割を果たし、操作簡単で専門者でなくでも直ちに使えるように構築される。【選択図】図１
0003155479.tif 000002
【実用新案登録請求の範囲】
【請求項１】
信号計測機能、信号記録機能、信号良否検査機能、表示・入力機能、データ通信機能を備えたポータブル部と、設備管理機能、測定管理機能、状態傾向管理、寿命予測機能、状態診断機能、測定条件設定機能、信号良否判定機能、データ通信機能を備えた計算機部から構成される信号計測・記録・状態診断装置システム。
【請求項２】
請求項１のポータブル部に簡易診断機能を加えたポータブル部と、請求項１の計算機部から構成される信号計測・記録・状態診断装置システム。
【請求項３】
信号計測機能、信号記録機能、信号良否検査機能、表示・入力機能、データ通信機能を備え、計算機部との連携により設備管理・測定管理・状態傾向管理・寿命予測・状態診断が行えるポータブル信号計測・記録装置。
【請求項４】
請求項３のポータブル信号計測・記録装置に簡易診断機能を加えたポータブル信号計測・記録・診断装置。
【考案の詳細な説明】
【技術分野】
【０００１】
本考案は設備診断およびインフラ施設診断の分野において、対象物の状態を判明するための状態診断および状態傾向管理システムに関する。
【背景技術】
【０００２】
従来は主に次のような背景技術がある。
（１）計算機のみで状態診断を行う（例えば、特許文献１）。なお、本明細書記載の「計算機」とは実用上ポケットサイズで実現しにくい情報処理装置のことである。
（２）ポケットサイズの携帯型診断器で全ての状態診断を行う（例えば、特許文献２）。
（３）携帯型診断器と計算機を有線LANにより設備診断を行う。
（４）データ採集装置と計算機を有線LANにより設備診断を行う（例えば、特許文献３）。
（５）データ採集装置と計算機を無線通信により設備診断を行うが、計算機からデータ採集装置に診断結果を送らない（例えば、特許文献４）。
【先行技術文献】
【特許文献】
【０００３】
【特許文献１】特開平５−２６４３９２号公報
【特許文献２】特開２０００−１７１２９１号公報
【特許文献３】特開平５−２０５１８５号公報
【特許文献４】特開平９−３３２９８号公報
【考案の概要】
【考案が解決しようとする課題】
【０００４】
しかしながら、前記従来の諸手法には次のような問題があった。
第（１）の方法では、複雑な信号処理や診断処理などが容易に行え、状態診断システムが比較的容易に構築できるが、ポータブル（ポケットサイズ）の診断器として実現することが困難である。
第（２）の方法では、ポケットサイズの携帯型診断器は計算能力やメモリ容量などの制限により複雑な信号処理や学習処理などのために非常に時間がかかるだけでなく、高精度が要求される設備診断問題に対応できない場合が多い。
第（３）と（４）の方法では、有線LANを用いるため、有線LANの配線や端子設置のためのコストが高いのみならず、現場における広い範囲での設備診断や設備管理としての利用が不便である。
第（５）の方法では、診断の結果や設備管理情報は信号計測装置へ返送されないため、現場の設備管理者が設備状態を直ちに知ることができないだけでなく、設備管理センタから設備管理に関する情報を迅速に獲得することも困難である。
【課題を解決するための手段】
【０００５】
上記に述べたような問題点を解決するために、本考案の信号計測・記録・状態診断装置システムにおいては、ポータブル部に小型マイコンでも迅速に処理できる信号計測・記録だけの機能（必要時に簡易診断機能も付加）を持たせ、処理アルゴリズムが複雑で、比較的長い処理時間を必要とする状態診断機能や寿命予測機能を、計算能力が高くメモリ容量が大きい計算機部分に持たせることにより、状態診断や状態管理を効率的に行うことができる。また、ポータブル部は主に対象物の信号計測、信号記録、計算機へのデータ転送役割を果たし、操作簡単で専門者でなくでも直ちに使えるように構築される。よって、本考案は生産現場において使用簡便で高性能な設備診断システムを提供できる。
【考案の効果】
【０００６】
本考案においては、対象物の状態診断を効率よく実現するために、処理アルゴリズムが複雑で、比較的長い処理時間を必要とする状態診断機能を、計算能力が高くメモリ容量が大きい計算機に持たせ、計算機部に構築された精密状態診断機能、状態傾向管理機能、寿命予測機能などにより状態診断・評価・管理を行う。ポータブル部は主に対象物の信号計測、信号記録、計算機へのデータ転送役割（必要時に簡易診断役割も付加）を果たし、操作簡単で専門者でなくでも直ちに使えるように構築できる。よって、本考案は実際の設備管理や設備診断のために使用簡便で点検者の負担軽減ができ、高性能かつ高効率な設備診断装置システムを提供できる。
【図面の簡単な説明】
【０００７】
【図１】本考案のシステム構成を示すグラフである。
【図２】本考案のシステム構成の具体例を示すグラフである。
【図３】信号計測・記録・診断機能を備えたポータブル部のパネル例を示すグラフである。
【図４】信号計測・記録機能を持ち、診断機能を持たないポータブル部のパネル例を示すグラフである。
【考案を実施するための形態】
【０００８】
図１には本考案の信号計測・記録・状態診断装置システムの構成を示す。本装置システムは計算機部とポータブル部から構成される。
本考案の信号計測・記録・状態診断装置システムにおいては、ポータブル部は小型マイコンで構築され、迅速に処理できる信号計測・記録・転送だけの機能（必要時に簡易診断機能も付加）を持ち、計算機部分は計算能力が高くメモリ容量が大きい計算機で構築され、処理アルゴリズムが複雑で、比較的長い処理時間を必要とする外部測定機器連携機能、状態診断機能（簡易・精密診断機能、状態傾向管理機能および寿命予測機能）、設備・点検管理機能などを持つ。また、ポータブル部は主に対象物の信号計測、信号記録、計算機へのデータ転送役割（必要時に簡易診断役割も付加）を果たし、操作簡単で専門者でなくでも直ちに使えるように構築される。
【実施例】
【０００９】
図２には図１に示す本考案の信号計測・記録・状態診断装置システムの一例を示す。
【００１０】
図３に信号計測・記録・診断機能を備えたポータブル部のパネル例を示している。この場合、ポータブル部は計測したパラメータ値表示、診断結果表示、計測信号良否表示、データコード表示、メモ表示、メッセージ表示、電池容量や信号強弱表示、入力用キー部などから構成される。
【００１１】
図４に信号計測・記録機能を持ち、診断機能を持たないポータブル部のパネル例を示している。この場合、ポータブル部は計測したパラメータ値表示、計測信号良否表示、データコード表示、メモ表示、メッセージ表示、電池容量や信号強弱表示、入力用キー部などから構成される。診断処理はポータブル部で行わなく、計測・記録したデータを計算機部へ転送した後、計算機部で診断や寿命予測を行う。
【産業上の利用可能性】
【００１２】
本考案の装置システムは主な特徴は、
(1) ポータブル部は小型、大容量、広い周波数帯域、操作簡単であり、測定ミス検査（信号良否検査）機能、メモ機能、測定点情報編集・表示機能等を持つ。
(2) 特に測定ミス検査機能は信号の品質をチェックし、誤診断を防ぐ。
(3) ポータブル部で測定したデータを無線（あるいは、USB）で一括に計算機部へ転送できる。
(4)計算機部の診断機能で各測定点の状態を判定・表示する。
(5)本考案では、複雑な診断アルゴリズムの実用化、最新研究成果によるバージョンアップの容易化、現場点検人員の負担の軽減、測定ミスの防止、診断精度の向上、設備管理や点検管理の簡便化などの利点がある。
よって、産業上の利用は十分可能である。
【図１】
0003155479.tif 000003
【図２】
0003155479.tif 000004
【図３】
0003155479.tif 000005
【図４】
0003155479.tif 000006